(57)【特許請求の範囲】
【請求項１】
キャップ本体（１ａ）の下端より捩切り可能部（２）を介して円筒状のバンド部（３）を一体的に形成し、該バンド部（３）の下端内縁から截頭円錐形の係止リング（４）が上方及び内方に傾斜して立設され、前記係止リング（４）の上端は、瓶口（５）の膨出部（６）の下周面（６ａ）に係止する多数の山形状の係止部（７）を備えているキャップにおいて、
前記係止リング（４）が、内方への屈曲部（７ａ）と、外方への折曲げ部（７ｂ）とを交互に備えており、
前記山形状の係止部（７）は、前記屈曲部（７ａ）から前記折曲げ部(７ｂ)への係止リングの上縁（Ｑ1）をテーパ状(Ｐ2Ｑ1)として、前記上縁（Ｑ1）を前記屈曲部（７ａ）の上端（Ｐ2）より低く設定しており、
前記キャップ(１)を前記瓶口（５）に装着した時に、前記屈曲部（７ａ）の上端（Ｐ2） が、上記膨出部（６）の下周面（６ａ）に係止することを特徴とするキャップ。
【請求項２】
係止部を含む係止リングの上縁部の平面投影長さが、バンド部の内周長さおよび膨出部の外周長さよりも小さく設定された請求項１記載のキャップ。
【発明の詳細な説明】
【０００１】
【発明の属する技術分野】
この発明は、液体容器の口部に嵌着されるピルファープルーフ機能を備えた合成樹脂製のキャップに関するものである。
【０００２】
【従来の技術】
図５〜図８に示すように、キャップ本体１ａの下端より捩切り可能部（ブリッジ）２を介して円筒状のバンド部３を一体的に形成し、該バンド部３の下端内縁から傾斜して立設された截頭円錐形の内筒（係止リング）４に、瓶口５の膨出部６の下周面６ａに係止する多数の山形状の係止部７を、屈曲または折曲して形成したキャップ１は、例えば実開平４−７４６４４号公報その他により知られている。
【０００３】
このような構成により、キャップ本体１ａをねじ回し開栓しようとすると、瓶口５の膨出部６の下周面６ａに係止する多数の山形状の係止部７によってピルファープルーフ機能を備えたバンドの上動が阻止され、ブリッジ２を破断するため、これによって開栓されたことを検知することが出来る。
【０００４】
これら従来の技術は大別して二つに分けられる。すなわち、一つは図７に示すように、外方に屈曲した面７ｍの上縁部外側先端Ｑ3 が最も高く、この上縁部外側先端Ｑ3 を瓶口５の膨出部６の下周面６ａの外周縁部６ａ1 に係止するＡ方式であり、他の一つは、図８に示すように、外方に屈曲した面７ｍの上縁部が水平状態で係止リング４の内側の屈曲部７ａの上端を膨出部６の下周面６ａに係止するＢ方式である。
【０００５】
【発明が解決しようとする課題】
ところが、上記Ａ方式にあっては、外方に屈曲した面外側の折曲げ部７ｂの上端が形成する仮想円の直径が膨出部の直径に匹敵する位大きいので、開栓時にすっぽ抜け、開栓したにも拘らず、ブリッジが破断されないことがある。
また、図８に示すＢ方式にあっては、Ａ方式とは異なり、係止リング４内側の屈曲部７ａの上端が形成する仮想円の直径が膨出部の直径に比べ小さいので、係止リングのすっぽ抜けは起りにくい反面、キヤップを瓶口に装着する際、係止リングは拡径して断面円形となって瓶口の膨出部（係合段部）６を乗越えるが、その際の拡開に要する応力は外方における折曲げ部７ｂの線分ＯＱの長さに対応して大きくなるので、比較的大きな応力が発生し、このため捩切り可能部（ブリッジ）２が切れ易くなり、装着不良品が発生する恐れがある。
【０００６】
本発明はこれらの問題点を解決するためになされたもので、開栓時に係止リングが上方にすっぽり抜けることがなく、瓶口に装着時ブリッジに係る応力を制限し、ブリッジ切れの起らないキャップを提供することを目的とする。
【０００７】
この発明は、キャップ本体（１ａ）の下端より捩切り可能部（２）を介して円筒状のバンド部（３）を一体的に形成し、該バンド部（３）の下端内縁から截頭円錐形の係止リング（４）が上方及び内方に傾斜して立設され、前記係止リング（４）の上端は、瓶口（５）の膨出部（６）の下周面（６ａ）に係止する多数の山形状の係止部（７）を備えているキャップにおいて、  前記係止リング（４）が、内方への屈曲部（７ａ）と、外方への折曲げ部（７ｂ）とを交互に備えており、前記山形状の係止部（７）は、前記屈曲部（７ａ）から前記折曲げ部(７ｂ)への係止リングの上縁（Ｑ1）をテーパ状(Ｐ2Ｑ1)として、前記上縁（Ｑ1）を前記屈曲部（７ａ）の上端（Ｐ2）より低く設定しており、前記キャップ(１)を前記瓶口（５）に装着した時に、前記屈曲部（７ａ）の上端（Ｐ2） が、上記膨出部（６）の下周面（６ａ）に係止するものである。
【０００８】
また、本発明は、係止部を含む内筒の上縁部の平面投影長さがバンド部の内周長さおよび膨出部の外周長さよりも小さく設定されることが好ましい。
【０００９】
【発明の実施の形態】
発明の実施の形態を実施例に基づき図面を参照して説明する。先行技術と同一部分または相当部分には同一符号を付し、一部説明を省略する。図1は本発明のキャップの一部縦断正面図、図2は同裏面図、図3は要部の拡大図、図4は同作用説明図である。図において、１はピルファープルーフ機能を備えたキャップ、１ａはキャップ本体で、捩切り可能部２を介して円筒状のバンド部３を一体的に形成している。４は截頭円錐形の係止リングで、バンド部３の下端内縁から上方及び内方に傾斜して立設されている。７は多数の山形状の係止部で、係止リングの上端から下端に向けて一点に収斂するように形成されており、瓶口５の膨出部６の下周面６ａに係止されるものである。前記係止部７は、屈曲部７ａと、該屈曲部７ａの両側に設けられた、外方に屈曲した面７ｍと、前記外方に屈曲した面７ｍ外側の折曲げ部７ｂとを備えている
【００１０】
図４に基づいて、作用効果について説明する。開栓時に、係止リング４は折り返し部Ｏを基点としてＢ方向に回動する。屈曲部７ａの線分ＯＰ2 の長さは図８に示す従来方式（Ｂ方式）、即ち、屈曲部をＯＰ1 のように形成した場合の長さＲ1 に比べてＲ2 だけ大きい。従って、係止リング４がＢ方向に倒れたとき、Ｐ2 はＰ1 よりも、より中心側に位置することになる。即ち、各屈曲部７ａの上端Ｐ2 が形成する仮想円の直径は、Ｐ1 の形成する仮想円の直径より小さくなる。従って、開栓時に係止リング４がすっぽ抜けしにくくなりタンパーエビデント性に関する信頼性が高くなる。
【００１１】
一方、図８に示す従来のＢ方式のものと同じように、もしも、屈曲部７ａより外方に屈曲した面７ｍの上縁をＰ2 Ｑ2 のように水平に形成すれば、すっぽ抜け効果は本発明とほぼ同様である。しかし、この場合はキャップを瓶口に装着する際、係止リング４は弾性的に拡径して断面円形となって瓶口の膨出部（係合段部）６を乗越えるが、その際の拡径に要する応力が線分Ｑ1 Ｑ2 の分だけ大きくなるため、捩切り可能部（ブリッジ）２に係る力がその分だけ大きくなり、ブリッジが切れ易くなる。従って、本発明では屈曲部７ａの上端を、この屈曲部より外方に屈曲した部分より高く位置させ、屈曲部７ａより外方に屈曲した面７ｍの上縁をＰ2 Ｑ1 のようにテーパー状として、Ｑ1 の位置を低く設定し、折曲げ部７ｂの長さ（線分ＯＱ1 ）を制限し、これにより、キャップを瓶口に装着する際の拡径に要する応力が小さく押さえられ、ブリッジ切れが生じない。
【００１２】
さらに、本発明では係止部を含む内筒の上縁部の平面投影長さがバンド部の内周長さおよび膨出部の外周長さよりも小さく設定することが好ましい。
実施例において、キャップのバンド部３の内径は３０．０ｍｍに、係止リング４の上縁部の長さは平面視で８４．０ｍｍに設定されている。従って、係止リング４の上縁は直径が８４．０÷π＝２６．７４まで拡径したときに真円状となる。このとき、係止リング４の山形状の係止部７は係止リング４の上端から下端に向けて一点に収斂するように形成されているため、係止リング４は下端から上端に向けて均一に拡径し、完全に截頭円錐の形状となる。仮に、瓶口の膨出部（係合段部）６の最大外径を２９．０ｍｍとすれば、係止リングの上縁部は（２９．０−２６．７４）×π  ＝７ｍｍだけ更に周方向に引伸ばされて係合段部６を乗越えることになる。従って、上記のように設定すれば、開栓時に係止リング４が一段とすっぽ抜けしにくくなりタンパーエビデント性に関する信頼性が一層高くなる。
【００１３】
【発明の効果】
本発明は、以上説明したように構成されているので、以下に記載されるような効果を奏する。
【００１４】
本発明の請求項１記載のキャップは、キャップ本体（１ａ）の下端より捩切り可能部（２）を介して円筒状のバンド部（３）を一体的に形成し、該バンド部（３）の下端内縁から截頭円錐形の係止リング（４）が上方及び内方に傾斜して立設され、前記係止リング（４）の上端は、瓶口（５）の膨出部（６）の下周面（６ａ）に係止する多数の山形状の係止部（７）を備えているキャップにおいて、  前記係止リング（４）が、内方への屈曲部（７ａ）と、外方への折曲げ部（７ｂ）とを交互に備えており、前記山形状の係止部（７）は、前記屈曲部（７ａ）から前記折曲げ部(７ｂ)への係止リングの上縁（Ｑ1）をテーパ状(Ｐ2Ｑ1)として、前記上縁（Ｑ1）を前記屈曲部（７ａ）の上端（Ｐ2）より低く設定しており、前記キャップ(１)を前記瓶口（５）に装着した時に、前記屈曲部（７ａ）の上端（Ｐ2） が、上記膨出部（６）の下周面（６ａ）に係止することにより、開栓時に係止リング４がすっぽ抜けしにくくなりタンパーエビデント性に関する信頼性が高くなる。また、折曲げ部７ｂの長さ（線分ＯＱ1 ）を制限し、これにより、キャップを瓶口に装着する際の拡径に要する応力が小さく押さえられ、ブリッジ切れによる装着不良を阻止することが出来る。
【００１５】
また、本発明の請求項２記載のキャップは、係止部を含む内筒の上縁部の平面投影長さがバンド部の内周長さおよび膨出部の外周長さよりも小さく設定されたことにより、開栓時に係止リング４がすっぽ抜けするのをより一層確実に阻止することが出来る。
【図面の簡単な説明】
【図１】本発明のキャップの一部縦断正面図である。
【図２】本発明のキャップの裏面図である。
【図３】本発明のキャップの要部の拡大図である。
【図４】本発明のキャップの要部の作用説明図である。
【図５】従来のキャップの一例を示す一部縦断正面図である。
【図６】従来のキャップの一例を示す要部の一部縦断正面図である。
【図７】従来のキャップの要部の縦断正面図である。
【図８】従来のキャップの要部の縦断正面図である。
【符号の説明】
１            キャップ
１ａ          キャップ本体
２            捩切り可能部（ブリッジ）
３            バンド部
４            内筒（係止リング）
５            瓶口
６            膨出部
６ａ          下周面
６ａ1         外周縁部
７            係止部
７ａ          屈曲部
７ｂ（ＯＱ1 ）折曲げ部
７ｍ          外方に屈曲した面
Ｏ            折り返し部
ＯＰ2         線分
ＯＰ1         線分
Ｐ2           屈曲部の上端
Ｒ2           線分
Ｑ1 Ｑ2       線分
Ｑ3           上縁部外側先端
【図１】
0004467102.tif 000002
【図２】
0004467102.tif 000003
【図３】
0004467102.tif 000004
【図４】
0004467102.tif 000005
【図５】
0004467102.tif 000006
【図６】
0004467102.tif 000007
【図７】
0004467102.tif 000008
【図８】
0004467102.tif 000009